(57)【要約】      （修正有）【課題】木造建築において床下の横架材の間に敷設する板状断熱材を支持するための断熱材支持具を提供する。【解決手段】横架材１４の側面に位置して上下方向に延びる脚板部３と、前記脚板部の上端部から折曲されることにより横架材１４の上面に固着される上板部４と、前記脚板部の下端部の側縁に沿って折曲されることにより横架材１４から離反する方向に延びる縦板部５と、該縦板部の上縁に沿って折曲されることにより脚板部３の外側に位置して板状断熱材の下面を支持する支持板部６を備えており、前記縦板部５から脚板部３の側縁に向けて上向きに延びる斜縁１２を備えたウエブ片１３を設け、ウエブ片１３により縦板部５の下向き変形を防止する補強手段を構成し、前記斜縁１２により板状断熱材の下面に食い込み状態で支持する支持手段を構成している。【選択図】図２
0003190713.tif 000002
【実用新案登録請求の範囲】
【請求項１】
横架材に装着された状態で板状断熱材を水平姿勢に支持する断熱材支持具であり、
横架材(14)の側面に位置して上下方向に延びる脚板部(3)と、前記脚板部の上端部から折曲されることにより横架材(14)の上面に固着される上板部(4)と、前記脚板部の下端部の側縁に沿って折曲されることにより横架材(14)から離反する方向に延びる縦板部(5)と、該縦板部の上縁に沿って折曲されることにより脚板部(3)の外側に位置して板状断熱材(15)の下面を支持する支持板部(6)を備えており、
前記縦板部(5)から脚板部(3)の側縁に向けて上向きに延びる斜縁(12)を備えたウエブ片(13)を設け、
前記ウエブ片(13)により縦板部(5)の下向き変形を防止する補強手段を構成すると共に、前記斜縁(12)により板状断熱材(15)の下面に食い込み状態で支持する支持手段を構成して成ることを特徴とする断熱材支持具。
【請求項２】
前記上板部(4)と脚板部(3)の折曲部は、内角が９０度を超える鈍角となるように折曲され、該折曲部を介して脚板部(3)を下方に向けて次第に横架材(14)の側面から離反する傾斜姿勢として吊持しており、
前記折曲部は、弾性変形手段(17)を形成し、脚板部(3)を横架材(14)の側面に向けて揺動したとき、前記弾性変形手段(17)により脚板部(3)を前記揺動方向に抗して弾発付勢するように構成して成ることを特徴とする請求項１に記載の断熱材支持具。
【請求項３】
支持具を薄金属板の折曲加工により形成する構成において、
前記支持板部(6)にＶ形の切溝(9)を設けることにより山形状の刺突片(10)を形成し、該刺突片(10)の幅広基部を前記縦板部(5)に連設しており、
前記支持板部(6)と縦板部(5)を相互に折曲したとき、前記刺突片(10)が前記切溝(9)から脱出して上向きに突出するように構成して成ることを特徴とする請求項１又は２に記載の断熱材支持具。
【考案の詳細な説明】
【技術分野】
【０００１】
本考案は、断熱材支持具に関し、特に、木造建築において、大引き、土台、根太等の横架材に装着することにより、床下の断熱材を好適に支持するための断熱材支持具に関する。
【背景技術】
【０００２】
近年、木造建築の高断熱化のため、床下に板状断熱材を敷設することが行われており、大引き、土台、根太等の角材から成る横架材の間に、隙間を生じないように板状断熱材が水平方向に敷設される。
【０００３】
このため、金属板を折曲することにより形成した支持具が提供されている。支持具は、横架材の側面に位置する脚板部と、前記脚板部の上端部から折曲されることにより横架材の上面に固着される上板部と、前記脚板部の下端部から折曲されることにより板状断熱材の下面を支持する支持板部を備えている。
【０００４】
断熱材の施工に際しては、前記横架材に沿って複数個の支持具を装着した後、隣り合う横架材の間に板状断熱材が敷き詰められ、その上に、床下地材等を介して、床材が敷設される。
【先行技術文献】
【特許文献】
【０００５】
【特許文献１】特許第３９４２５０３号公報
【考案の概要】
【考案が解決しようとする課題】
【０００６】
しかしながら、断熱材の施工に際し、作業者は、横架材の上を歩行しながら不安定な姿勢で作業を行う必要があるため、装着後の支持具を踏みつけることにより、前記支持板部を変形させる可能性がある。従って、このような変形を修復せずに板状断熱材を敷き詰めると、該板状断熱材が所望の水平状態で敷設されず、床材の下方に隙間を生じるおそれがある。
【０００７】
同様に、敷設した後の板状断熱材を踏みつけたときも、支持具の変形により板状断熱材が沈下する。従って、床材の下方に隙間を生じるおそれがある。
【０００８】
このため、支持具は、作業者に踏みつけられたときでも、容易に変形しないように構成することが望ましいが、通常は、製造コスト等の観点から、可及的薄い金属板により形成することを余儀なくされている場合がある。従って、薄金属板製であっても、変形し難い支持具を提供することが課題となる。
【０００９】
また、需要者のニーズは、可及的安価な製品の提供を求めており、支持具の製造コストは、製造に要する加工の工程数が大きな要素を占めている。従って、薄金属板製であっても、可及的少ない工程数により製造可能とした支持具を提供することが課題となる。
【００１０】
更に、断熱効果の点から、板状断熱材を床下に隙間なく敷き詰めることが好ましく、従って、床材の下面に隙間が生じないように板状断熱材を敷設することができる支持具の提供が望まれる。
【課題を解決するための手段】
【００１１】
本考案は、上記課題を解決した断熱材支持具を提供するものであり、その手段として構成したところは、横架材に装着された状態で板状断熱材を水平姿勢に支持する断熱材支持具であり、横架材の側面に位置して上下方向に延びる脚板部と、前記脚板部の上端部から折曲されることにより横架材の上面に固着される上板部と、前記脚板部の下端部の側縁に沿って折曲されることにより横架材から離反する方向に延びる縦板部と、該縦板部の上縁に沿って折曲されることにより脚板部の外側に位置して板状断熱材の下面を支持する支持板部を備えており、前記縦板部から脚板部の側縁に向けて上向きに延びる斜縁を備えたウエブ片を設け、前記ウエブ片により縦板部の下向き変形を防止する補強手段を構成すると共に、前記斜縁により板状断熱材の下面に食い込み状態で支持する支持手段を構成して成る点にある。
【００１２】
本考案の好ましい実施形態において、前記上板部と脚板部の折曲部は、内角が９０度を超える鈍角となるように折曲され、該折曲部を介して脚板部を下方に向けて次第に横架材の側面から離反する傾斜姿勢として吊持しており、前記折曲部は、弾性変形手段を形成し、脚板部を横架材の側面に向けて揺動したとき、前記弾性変形手段により脚板部を前記揺動方向に抗して弾発付勢するように構成している。
【００１３】
本考案の好ましい実施形態は、支持具を薄金属板の折曲加工により形成する構成において、前記支持板部にＶ形の切溝を設けることにより山形状の刺突片を形成し、該刺突片の幅広基部を前記縦板部に連設しており、前記支持板部と縦板部を相互に折曲したとき、前記刺突片が前記切溝から脱出して上向きに突出するように構成している。
【考案の効果】
【００１４】
請求項１に記載の本考案によれば、支持具１は、ウエブ片１３により縦板部５の折曲部を可及的に長くするように形成し、該ウエブ片１３を介して縦板部５を脚板部３の側縁に吊持状態で連結しているので、下向き荷重に対して、縦板部５が容易に座屈変形しないように補強することができる。従って、断熱材の施工に際し、作業者が誤って支持板部６を踏みつけるようなことがあっても、支持板部６と共に縦板部５が容易に変形することはなく、また、板状断熱材１５を装入した後に、作業者が誤って板状断熱材１５を踏みつけるようなことがあっても、支持板部６と共に縦板部５が容易に変形することはなく、該板状断熱材１５を沈下させることはない。
【００１５】
そして、前記ウエブ片１３に斜縁１２を形成し、該斜縁１２により板状断熱材１５の下面に食い込み状態で支持する支持手段を構成しているので、板状断熱材１５がずれ動くことを好適に防止することができる。この際、板状断熱材１５が弾性素材により形成されている場合は、斜縁１２の食い込みにより変形する弾性素材の反発力により、板状断熱材１５が自力で浮上し、床材１６の下面に対して隙間を減じた状態で近接し、断熱効果を向上する。
【００１６】
請求項２に記載の本考案によれば、隣り合う横架材１４の両側面の所定個所に複数の支持具１、１を装着した状態で、横架材１４、１４の間に板状断熱材１５を装入すると、脚板部３が横架材１４の側面に向けて揺動しつつ後退することにより、板状断熱材１５を受け入れると共に支持板部６により支持する。この際、脚板部３は、弾性変形手段１７により、板状断熱材１５の側面に向けて弾発付勢されているので、両側の支持具１、１により板状断熱材１５の両側面を挟持し、これにより、板状断熱材１５の幅寸法が隣り合う横架材１４、１４の間隔寸法よりもやや小さい場合でも、該板状断熱材１５を前記間隔の中心部Ｃに位置決めすることができ、しかも、位置ずれしないように保持することができる。
【００１７】
請求項３に記載の本考案によれば、支持具１を薄金属板の折曲加工により形成する場合に、縦板部５から支持板部６を折曲すると、刺突片１０が切溝９から脱出して支持板部６よりも上方に突出させられる。このように、刺突片１０は、支持板部６を折曲するだけで上向きに突出するので、別途、刺突片１０を起立させるための工程が必要でなく、これにより、支持具１の製造に際して必要とされる加工の工程数を減少することができる。
【図面の簡単な説明】
【００１８】
【図１】本考案の第１実施形態の支持具を示しており、（Ａ）は折曲加工前の展開状態とされた金属板素材を示す平面図、（Ｂ）は支持具を左側面方向から示す斜視図、（Ｃ）は支持具を右側面方向から示す斜視図である。
【図２】第１実施形態の支持具の使用方法を示しており、（Ａ）は横架材に対する装着状態を示す斜視図、（Ｂ）は作用を示す拡大図である。
【図３】第１実施形態の支持具を使用した断熱材の施工例を示す断面図である。
【図４】本考案の第２実施形態の支持具を示しており、（Ａ）は折曲加工前の展開状態とされた金属板素材を示す平面図、（Ｂ）は支持具を左側面方向から示す斜視図、（Ｃ）は支持具を右側面方向から示す斜視図である。
【図５】第２実施形態の支持具の使用方法を示しており、（Ａ）は横架材に対する装着状態を示す斜視図、（Ｂ）は作用を示す拡大図である。
【図６】第２実施形態の支持具を使用した断熱材の施工例を示す断面図である。
【考案を実施するための形態】
【００１９】
以下図面に基づいて本考案の好ましい実施形態を詳述する。
【００２０】
［第１実施形態］
図１ないし図３は、本考案に係る支持具の第１実施形態を示しており、図１（Ａ）に示すような金属板素材１ａを折曲加工することにより、図１（Ｂ）（Ｃ）に示すような支持具１が提供される。
【００２１】
（金属板素材の構成）
図１（Ａ）に示すように、金属板素材１ａは、例えば、板厚を０．６ｍｍとした鉄等の薄金属板を打ち抜くことにより形成され、金属板の平面上で直交するＸ方向とＹ方向に関して、所定幅でＸ方向に延びる帯状の脚板部３と、該脚板部３の上端部に位置するＹ方向の折曲線２ａを介して帯長手方向に延長された上板部４と、該脚板部３の下端部の側縁に位置するＸ方向の折曲線２ｂを介して側方に延設された縦板部５と、該縦板部５の上端縁に位置するＹ方向の折曲線２ｃを介して上方に延長された支持板部６を備えている。
【００２２】
前記上板部４は、適宜個所にＶ形の切溝７を設け、該切溝７の内側に山形状の刺突片８を形成している。
【００２３】
前記支持板部６は、前記折曲線２ｃを底辺とするＶ形の切溝９を設け、該切溝９の内側に山形状の刺突片１０を形成している。刺突片１０は、幅広基部を縦板部５に連設しており、該縦板部５から切溝９の内側に向けて延びる。
【００２４】
前記脚板部３と支持板部６の間には切欠き溝１１が形成されており、該切欠き溝１１の下端部を埋めるように縦板部５から脚板部３の側縁に向けて上向きに延びる斜縁１２を備えたウエブ片１３が設けられている。
【００２５】
（支持具の構成）
上記の金属板素材１ａを折曲することにより、図１（Ｂ）（Ｃ）に示すような支持具１が提供される。
【００２６】
上板部４は、前記折曲線２ａを山折りすることにより、脚板部３の上端部から内側Ｚ１に向けてほぼ直角に折曲される。従って、上板部４は、脚板部３に対して、側面視がＬ形となるように折曲される。尚、刺突片１０は、下向きに折曲することにより、脚板部３の下面から突出させられる。
【００２７】
縦板部５は、前記折曲線２ｂを谷折りすることにより、脚板部３の下端部から外側Ｚ２に向けてほぼ直角に折曲される。前記支持板部６とウエブ片１３は、縦板部５に追従して折曲方向に移動する。従って、縦板部５は、支持板部６及びウエブ片１３を含んで、脚板部３に対して、平面視がＬ形となるように折曲される。
【００２８】
引き続き、支持板部６は、前記折曲線２ｃを谷折りすることにより、脚板部３との外側Ｚ２に向けてほぼ直角に折曲される。この折曲により、前記刺突片１０が切溝９から脱出して上向きに突出する。つまり、刺突片１０は、支持板部６を折曲するだけで上向きに突出するので、別途、刺突片１０を起立させるための工程は必要でない。
【００２９】
（使用方法と作用）
上記の支持具１の使用方法と作用を図２及び図３に示している。
【００３０】
図２（Ａ）に示すように、支持具１は、大引き、土台、根太等の横架材１４の側面に位置して、脚板部３を上下方向に向けて配置され、上板部４を横架材１４の上面に搭載すると共に刺突片１０を打ち込むことにより固着される。これにより、支持板部６が横架材１４の側面の下側個所から突出する。
【００３１】
図３に示すように、隣り合う横架材１４の両側面の所定個所に複数の支持具１、１を装着した状態で、横架材１４、１４の間に板状断熱材１５が装入される。装入された板状断熱材１５は、上面が横架材１４の上面と同一レベルとなるように、下面を支持板部６により支持される。尚、板状断熱材１５の下面は、支持板部６と縦板部５の折曲部により支持され、該折曲部により、板状断熱材１５の前記レベルが規定される。板状断熱材１５の装入を完了した後、横架材１４の上に、床下地材等を介して、床材１６が敷設される。
【００３２】
図２（Ｂ）に示すように、支持具１は、前記ウエブ片１３を設けることにより縦板部５の折曲部（前記折曲線２ｂ）を可及的に長くするように形成し、該ウエブ片１３を介して縦板部５を脚板部３の側縁に吊持状態で連結しており、これにより、図示矢印Ｆで示す下向き荷重に対して、縦板部５が容易に座屈変形しないように補強している。従って、断熱材の施工に際し、作業者が誤って支持板部６を踏みつけるようなことがあっても、支持板部６と共に縦板部５が容易に変形することはない。また、板状断熱材１５を装入した後に、作業者が誤って板状断熱材１５を踏みつけるようなことがあっても、支持板部６と共に縦板部５が容易に変形することはなく、該板状断熱材１５を沈下させることはない。
【００３３】
そして、板状断熱材１５の下面には、刺突片１０が刺突すると共に、前記ウエブ片１３の斜縁１２が好適に食い込み、該板状断熱材１５がずれ動くことを好適に防止する。
【００３４】
板状断熱材１５は、例えば、連続気泡を有する発泡ポリスチレン等の弾性素材により形成されている場合、両側下端縁部が前記ウエブ片１３の斜縁１２に係止した状態で、該ウエブ片１３により下方から支持される。この際、ウエブ片１３の斜縁１２が板状断熱材１５に食い込むと、該食い込みにより変形する弾性素材の反発力により、板状断熱材１５が自力で浮上する。これにより、板状断熱材１５は、床材１６の下面に対して隙間を減じた状態で近接し、断熱効果を向上する。
【００３５】
［第２実施形態］
図４ないし図６は、本考案に係る支持具の第２実施形態を示しており、図４（Ａ）に示すような金属板素材１ａを折曲加工することにより、図４（Ｂ）（Ｃ）に示すような支持具１が提供される。
【００３６】
第２実施形態に係る支持具１は、各部の寸法等が相違する他は、上述した第１実施形態と基本的に同様であるから、上記と同じ符号で示しており、共通する技術的構成は上述の説明を援用することにより省略し、以下に、異なる技術的構成だけを説明する。
【００３７】
脚板部３の上端部から折曲線２ａを山折りすることにより上板部４を折曲する際、図５（Ｂ）に示すように、内角θが９０度を超える鈍角（図例の場合は１０４度）となるように折曲され、該折曲部により弾性変形手段１７を形成している。
【００３８】
従って、支持具１は、横架材１４に装着した状態で、図５（Ａ）に示すように、脚板部３が下方に向けて次第に横架材１４の側面から離反する傾斜姿勢で吊持され、図示矢印で示すように、該脚板部３を横架材１４の側面に向けて揺動可能とされているが、前記弾性変形手段１７により、脚板部３を前記揺動方向に抗して弾発付勢するように構成されている。
【００３９】
そこで、第２実施形態によれば、図６に示すように、隣り合う横架材１４の両側面の所定個所に複数の支持具１、１を装着した状態で、横架材１４、１４の間に板状断熱材１５を装入すると、脚板部３が横架材１４の側面に向けて揺動しつつ後退することにより、板状断熱材１５を受け入れると共に支持板部６により支持するが、脚板部３は、弾性変形手段１７により、板状断熱材１５の側面に向けて弾発付勢されているので、両側の支持具１、１により板状断熱材１５の両側面を挟持する。これにより、板状断熱材１５の幅寸法が隣り合う横架材１４、１４の間隔寸法よりもやや小さい場合でも、該板状断熱材１５を前記間隔の中心部Ｃに位置決めすることができ、しかも、位置ずれしないように保持することができる。
【００４０】
［その他の実施形態］
上記実施形態の場合、金属素材１ａを折曲加工することにより提供される支持具１について説明したが、本考案の支持具１は、全体をプラスチック等により一体成形しても良く、材質等を問うものではない。その他、図示の実施形態に限定されるものではなく、実用新案登録請求の範囲に記載された考案の趣旨に基づいて、種々の設計変更が可能である。
【符号の説明】
【００４１】
１  支持具
１ａ  金属板素材
２ａ、２ｂ、２ｃ  折曲線
３  脚板部
４  上板部
５  縦板部
６  支持板部
７  切溝
８  刺突片
９  切溝
１０  刺突片
１１  切欠き溝
１２  斜縁
１３  ウエブ片
１４  横架材
１５  板状断熱材
１６  床材
１７  弾性変形手段
【図１】
0003190713.tif 000003
【図２】
0003190713.tif 000004
【図３】
0003190713.tif 000005
【図４】
0003190713.tif 000006
【図５】
0003190713.tif 000007
【図６】
0003190713.tif 000008